(57)【特許請求の範囲】
【請求項１】
胴部の背面に、稜線のないラベルの貼着面を成形し、当該貼着面を除く全ての面をラベルの透視面とする合成樹脂製ボトル型容器であって、
前記透視面には、複数本のラインが稜線として形成されており、当該稜線によってパネルが区画されていることを特徴とする合成樹脂製ボトル型容器。
【請求項２】
前記ラインが直線、曲線又は波線である請求項１記載の合成樹脂製ボトル型容器。
【請求項３】
前記パネルが、減圧吸収壁である、請求項１又は２記載の合成樹脂製ボトル型容器。
【請求項４】
前記パネルが、平坦面、凹状の曲面、凸状の曲面の何れか一つ、又はそれらの組み合わせからなる請求項１〜３の何れかに記載の合成樹脂製ボトル型容器。
【請求項５】
前記稜線のない面をラベルの貼着又は印刷面とする請求項１〜４の何れかに記載の合成樹脂製ボトル型容器。
【請求項６】
前記容器内にラベルを挿入する請求項１〜５の何れかに記載の合成樹脂製ボトル型容器。
【請求項７】
前記透視面には、複数本の前記ラインが縦方向、横方向又は斜め方向に伸びる稜線として形成されており、当該稜線によって前記パネルが区画されている請求項１〜６の何れかに記載の合成樹脂製ボトル型容器。
【発明の詳細な説明】
【技術分野】
【０００１】
本発明はペットボトル等の合成樹脂製ボトル型容器に関するものであり、容器の胴体背面に貼着、印刷又は容器内に挿入されたラベルの視覚的効果をより一層増大させようとするものである。
【背景技術】
【０００２】
芳香剤を入れる容器や乳液等の化粧料等を入れる容器としては、効率的な生産が可能で取り扱いも比較的容易であることから、近年、ポリエチレンテレフタレート樹脂等の合成樹脂のプリフォームを２軸延伸させて所望の形状に成形したブロー容器が多用されている。
【０００３】
ところで、この種の容器は、成形条件等の制約から外観形状はどれも大きな差異はなく、容器の装飾は専ら胴部に貼着するラベルや印刷によるものが普通であり面白味に欠けるという難点を有していた。
【０００４】
装飾効果、視覚的効果を高めた従来の容器としては、容器口部と扁平な胴部と底部からなる透明な扁平ボトルにつき、扁平胴部に、裏面に風景または図柄を印刷したラベルを貼着し、該風景または図柄に適合した造形品を取着した透明な取付板を容器内に入れて該取付板を容器口部と底部との間に保持した構成になる造形品封入容器が知られている（例えば特許文献１参照）が、かかる容器の場合、容器やラベル以外の部材を不可欠とすることから、その部材の製作するための余計な工程が不可避であり、効率的な製造が困難なところに問題を残していた。
【特許文献１】特開2000−128175号公報
【発明の開示】
【発明が解決しようとする課題】
【０００５】
本発明の課題は、余計な部材を必要とせずに装飾効果、視覚的効果をより一層増大させることができる合成樹脂製ボトル型容器を提案するところにある。
【課題を解決するための手段】
【０００６】
本発明は、胴部の背面に、稜線のないラベルの貼着面を形成し、当該貼着面を除く全ての面をラベルの透視面とする合成樹脂製ボトル型容器であって、
前記透視面には、複数本のラインが稜線として形成されており、当該稜線によってパネルが区画されていることを特徴とする合成樹脂製ボトル型容器である。
【０００７】
上記の容器において、前記ラインは直線、曲線又は波線とするのが好ましい。また、前記パネルは減圧吸収壁とすることができ、その壁面は平坦面、凹状の曲面、凸状の曲面の何れか一つ、又はそれらの組み合わせからなるものが適宜適用される。
【０００８】
また、上記の容器においては、ラベルを稜線のない面に貼着、印刷及び／又は容器内に挿入することができる。
【発明の効果】
【０００９】
容器の透視面に、縦方向、横方向あるいは斜め方向に延びるラインを単一若しくはそれらを組み合わせそれらラインを稜線として区画されたパネルを形成すると、容器の背面に貼着、印刷あるいは容器内に挿入されたラベルの図柄や色調が見る角度によって種々変化（屈曲効果）し、装飾効果、視覚効果が著しく増大される。
【発明を実施するための最良の形態】
【００１０】
以下、図面を用いて本発明をより具体的に説明する。
図１(a)〜(d)、図２は本発明に従う合成樹脂製ボトル型容器であり、図１(a)は正面図、図１(b)は背面図、図１(c)は側面図、図１(d)は底面図、図２は図１のＡ−Ａ断面を示した図である。 
【００１１】
図における１は容器の口部、２は口部１につながる肩部、３は肩部２に横溝ｍを介してつながる胴部、4は胴部３につながる底部であり、容器の口部１、肩部２、胴部３及び底部４は射出形成等によって作製されたポリエチレンテレフタレート樹脂製プリフォームを２軸延伸ブロー成形することによって一体的に成形される。容器は図示の通り、横断面を楕円形状とする扁平容器として成形したものを示したが、容器の形状は丸、扁平、角型の何れでもよい。
【００１２】
上記の構成になる容器において、胴部３の背面3a（図２参照）は外側に向って凸となる曲面にて構成されており、この背面3aがラベルの貼着面となり、その背面3aを除く全ての面が透視面3bとなる。
【００１３】
透視面3bには間隔を空けて複数本のラインが稜線3b１として形成されており、この稜線3b１によってパネルｐが区画される。
【００１４】
このようなパネルｐを透視面3bに区画形成すると、透視面3bがその容器に特有の外観形状を呈することとなるだけでなく、そこを通して背面3aに貼着されたラベルを見たときラベルの図柄や文字、色調が見る角度によって種々に変化して装飾効果や視覚効果が一段と増大され、他の商品との識別を図るのに有利となる。
【００１５】
胴部３全体の肉厚を等肉とした場合には、パネルｐは容器内の減圧に伴い内向きに変位させる、いわゆる減圧吸収壁として機能させることも可能で、これにより容器の外観形状を安定的に保持することができる（外観形状の変位に伴うラベルの変形を防止できる）。パネルｐは平坦面でもよいし、外向きに凸状をなす曲面あるいは内向きに凸状をなす曲面でもよく、その組み合わせも適宜選択することが可能であり、この点については限定されない。なお、胴部の肉厚を調整することにより、パネルｐで吸収しきれない負圧を稜線のない面全体で吸収可能とする第２の減圧吸収機能部として構成してもよい。
【００１６】
パネルｐを区画する稜線3b１は容器の胴部に角部を形成することとなるので容器自体の剛性を確保するのに有用であり、合成樹脂の使用量を削減して軽量化を図るのにも役立つ。
【００１７】
稜線3b１としては容器の縦方向に伸びるライン（直線、曲線、波線等）、横方向に伸びるライン、斜め方向に伸びるラインの複数本を適宜組み合わせることが可能で、これによりダイヤカット面等を形成することもできる。
【００１８】
本発明に従う容器は、２軸延伸ブローによって成形することができ、合成樹脂の種類や容器の用途（飲料用、化粧用、トイレタリー用等）もとくに限定されない。
【００１９】
本発明に従う容器に用いられる装飾は、前掲のラベルの貼着のみには限られない。稜線のない面への印刷や容器内へのラベルの挿入等も適用可能であり、透視面3bを介して当該装飾に視覚効果を与える限りにおいては、何れの装飾も適宜採用し得る。さらには、前記効果を発揮させることができれば装飾の組み合わせについても種々の選択が可能となる。
【産業上の利用可能性】
【００２０】
装飾効果、視覚効果の増大された合成樹脂製ボトル型容器が提供できる。
【図面の簡単な説明】
【００２１】
【図１】本発明に従うボトル型容器の実施の形態を示した図であり、(a)は正面図、(b)は背面図、(c)は側面図、(d)は底面図である。
【図２】図１に示した容器のＡ−Ａ断面を示した図である。
【符号の説明】
【００２２】
１  口部
２  肩部
３  胴部
3a  背面
3a１  稜線
3b  透視面
４  底部
ｐ  パネル
【図１】
0004823587.tif 000002
【図２】
0004823587.tif 000003